(57)【要約】    【課題】  目地部におけるバックリング現象や断面欠損による強度低下を防止した貯留槽および貯留槽用壁面ブロックを提供する。    【解決手段】  複数の壁面ブロック１を貯留槽Ａの周方向に互い連接して建て込む。隣接する壁面ブロックの外周に緊結部材として複数のＰＣ鋼線２を巻き付ける。周方向に隣接する壁面ブロック１，１同士の各目地部Ｂにグラウト材３を充填し、その外側に目地パッキング材４を挿入し、さらにその外側に目地シーリング材５を挿入する。各壁面ブロック１は周方向の両端部１ｃ，１ｃが一番厚く、中央に向かって徐々に薄く、中央が一番薄い矩形板状に形成する。各壁面ブロック１の外側面の断面を直線形状または直線形状に近い形状に形成する。【選択図】                  図１
2005029231.tif 000002
【特許請求の範囲】
【請求項１】
周方向に互いに連接して設置された複数の壁面ブロックと隣接する壁面ブロック同士を互いに緊結または結束する緊結部材または結束部材とからなる貯留槽において、前記壁面ブロックは周方向の両端部が中央部より厚く、かつ外側面の断面が直線形状または直線形状に近い形状に形成されてなることを特徴とする貯留槽。
【請求項２】
壁面ブロックの内側面が貯留槽の外向きに凹む断面アーチ状、断面山型状または断面台形状に形成されてなることを特徴とする請求項１記載の貯留槽。
【請求項３】
貯留槽の側壁材として周方向に互いに連接して設置される貯留槽用壁面ブロックにおいて、周方向の両端部が中央部より厚く、かつ外側面の断面が直線形状または直線形状に近い形状に形成されてなることを特徴とする貯留槽用壁面ブロック。
【請求項４】
壁面ブロックの内側面が貯留槽の外向きに凹む断面アーチ状、断面山型状または断面台形状に形成されてなることを特徴とする請求項３記載の貯留槽用壁面ブロック。
【請求項５】
周方向の両端部にＰＣ鋼線が通る孔または溝が形成されてなることを特徴とする請求項３または４記載の貯留槽用壁面ブロック。
【請求項６】
周方向の両端部に連結ボルトが通る孔または溝が形成されてなることを特徴とする請求項３または４記載の貯留槽用壁面ブロック。
【発明の詳細な説明】
【技術分野】
【０００１】
本願発明は、貯留槽およびその壁面材として設置される貯留槽用壁面ブロックに関するものである。
【背景技術】
【０００２】
従来、サイロや貯水タンク、あるいは油類、穀類などの貯蔵タンク等として利用される貯留槽として、特に側壁部が複数の壁面プレキャストコンクリートブロック（以下「壁面ブロック」という）を建て込み、隣接する壁面ブロック同士を各目地部においてそれぞれボルト接合するか、または壁面ブロック全体をＰＣ鋼線などの結束線によって一体的に結束して円筒型または多角形型に構築された貯留槽が一般に知られている。
【０００３】
この場合の壁面ブロックには、例えば図４（ａ）に図示するように、円筒形にに建て込めるように貯留槽の側壁部の曲率に合わせてほぼ円弧状に形成された壁面ブロック、または例えば図４（ｂ）に図示するように、壁面ブロック同士の接続部（目地部）に角度を付けて貯留槽の側壁部の曲率に合わせて多角形状に建て込めるように周方向の両端面ａ，ａが斜めに形成された平板状の壁面ブロック、さらには図４（ｃ）に図示するように、壁面ブロック同士の接続部（目地部）に角度を付けて貯留槽の側壁部の曲率に合わせて多角形状に建て込めるように周方向の両端面ａ，ａが斜めに形成され、かつ緊結用のＰＣ鋼線を貯留槽の曲率に合わせて外周に巻き付けられるように中央部分ｂが外向きに厚みを増して形成された壁面ブロックが用いられている。
【０００４】
いずれの壁面ブロックも、一般に端部（目地部）および中央部ともに厚さが一定か、あるいは端部（目地部）が中央部より薄く形成されいる。また、建て込まれた複数の壁面ブロック同士は、その外周に巻き付けられたＰＣ鋼線によって一体的に緊結されているか、あるいは各目地部において隣接する壁面ブロック同士を連結ボルトで連結することによって結束され、特に後者の場合、連結ボルトは壁面ブロックの端部に突設されたブラケット（図省略）に締結され、特定の事例では、例えば図４（ｄ）に図示するように、壁面ブロックの端部に外向きに突設された突部ｃ，ｃ同士を連結ボルトで結束する場合もある。
【特許文献１】特開平１０−０７２０９０号公報    特開平１１−１０７３５３号公報
【発明の開示】
【発明が解決しようとする課題】
【０００５】
しかし、壁面ブロックの端部、すなわち隣接する壁面ブロック同士の目地部（接続部）が薄いと、壁面ブロック同士を例えば壁面ブロックの外周にＰＣ鋼線を巻き付けて緊結した際に、貯留槽の口径が大きくなると圧縮力によって壁面ブロックの端部が内向きにはじけてしまう（バックリング現象）ことがあり、安全上の問題があった。
【０００６】
また、目地部をグラウトする際、例えば図５に図示するように、目地部に目地シーリング材２０や目地パッキング材２１が挿入されるため、目地部が薄いとグラウト部２２の厚みが薄くなり断面欠損による強度低下を免れない等の構造上の問題があった。
【０００７】
さらに、隣接する壁面ブロック同士を各目地部において連結ボルトで連結する場合、連結ボルトは壁面ブロックの端部に突設されたブラケットに締結されるため、連結ボルトによる締結力の作用軸と壁面ブロックとの材軸にずれが生ずることにより目地部に隙間が生ずるおそれがあった。
【課題を解決するための手段】
【０００８】
請求項１記載の貯留槽は、周方向に互いに連接して設置された複数の壁面ブロックと隣接する壁面ブロック同士を緊結または結束する緊結部材または結束部材とからなる貯留槽において、前記壁面ブロックの周方向の両端部が中央部より厚く、かつ外側面の断面が直線形状または直線形状に近い形状に形成されてなることを特徴とするものである。
【０００９】
本願発明は、特に壁面ブロックの両端部が中央部より厚く形成されていることで、隣接する壁面ブロック同士の目地部（接続部）において、目地シーリング材や目地パッキング材を挿入するために必要な厚さをとられても、グラウト部の厚さを充分に確保できるため、目地部の断面二次モーメントが非常に大きく、このため目地部におけるバックリング現象や断面欠損による強度低下を防止することができる。
【００１０】
また、この場合の壁面ブロックとして、例えば図１（ｂ）に図示するように、壁面ブロック同士の各接続部（目地部）に角度θ1 を付けて貯留槽の側壁部の曲率に合わせて多角形状に建て込めるように、例えば図１（ｅ）に図示するように、周方向の両端面１ｄが斜めに形成された壁面ブロックを設置することで、多角形状およびほぼ円形に近い貯留槽を簡単に構築することができる。
【００１１】
さらに、両端面１ｄの傾きθ2 （上端面１ａと端面１ｄとのなす角度）の異なるものを適宜使い分けることにより、口径の大きい貯留槽から口径の小さい貯留槽まで簡単に構築することができる。例えば、壁面ブロックとして両端面の傾きθ2 の大きいものを用いれば、口径の大きい貯留槽を簡単に構築することができる。
【００１２】
隣接する壁面ブロック同士を緊結する緊結部材としては、例えば隣接する壁面ブロックの外周（アウターケーブル方式）または内周（インナーケーブル方式）にＰＣ鋼線を巻き付けることによりブロック全体を一体的に緊結することができる。
【００１３】
なお、インナーケーブル方式の場合、例えば図２（ａ）に図示するように、緊結用のＰＣ鋼線は各壁面ブロックにその周方向に貫通して形成された貫通孔に連続して円弧状に挿通することができる。
【００１４】
その際特に、各壁面ブロックの両端部が中央部分より厚く形成されていることで、ＰＣ鋼線は各壁面ブロックの両端部においては可能な限り内側よりに、中央部分においては可能な限り外側よりにそれぞれ通すことができるため、側壁部の曲率の大きい貯留槽、すなわちかなり口径の小さい貯留槽もインナーケーブル方式によって構築することができる。
【００１５】
また、隣接する壁面ブロック同士を結束する結束部材としては、例えば隣接する壁面ブロック同士の各目地部に連結ボルトを締結することにより壁面ブロック同士を確実に結束することができる。
【００１６】
また特に、壁面ブロックの外周にＰＣ鋼線を巻き付ける場合、各壁面ブロックの両端部の外側にＰＣ鋼線が通る孔または溝を形成することで、隣接する壁面ブロックの外周にＰＣ鋼線を確実に巻き付けることができる。この場合、ＰＣ鋼線はスパイラル状に巻き付けてもよい。
【００１７】
また、隣接する壁面ブロック同士を各目地部において連結ボルトにより結束する場合、各壁面ブロックの両端部の外側に連結ボルトが通るボルト孔または溝を形成することで、隣接する壁面ブロック同士を確実に結束することができるだけでなく、連結ボルトを壁面ブロック内に設置して外部に露出しないようにすることができる。
【００１８】
請求項２記載の貯留槽は、請求項１記載の貯留槽において、壁面ブロックの内側面が貯留槽の外向きに凹む断面アーチ状、断面山型状または断面台形状に形成されてなることを特徴とするものである。
【００１９】
本願発明は、特に各壁面ブロックの内側面が貯留槽の外向きに凹む断面アーチ型状、断面山型状または断面台形状に形成されていることで、バックリング防止等の他に、大幅な軽量化と材料の節約による製造コストの大幅な削減等を図ることができる。
【００２０】
請求項３記載の貯留槽用壁面ブロックは、貯留槽の側壁材として周方向に互いに連接して設置される貯留槽用壁面ブロックにおいて、周方向の両端部が中央部より厚く、かつ外側面の断面が直線形状または直線形状に近い形状に形成されてなることを特徴とするものである。
【００２１】
本願発明の場合、例えば図１（ａ）に図示するように、壁面ブロック同士の各目地部（接続部）に角度θ1 を付けて貯留槽の側壁部の曲率に合わせて多角形状に建て込めるように、例えば図１（ｅ）に図示するように、周方向の両端面を斜めに形成することで、多角形状またはほぼ円形に近い貯留槽を簡単に構築することができる。
【００２２】
また、両端面の傾きθ2 を適宜変更することで、大口径の貯留槽用または小口径の貯留槽用の壁面材として用いることができる。例えば、両端面の傾きθ2 の大きい壁面ブロックは大口径の貯留槽用として用いることができる。
【００２３】
さらに、壁面ブロックの外側面または内側面の断面が直線形状または直線形状に近い形状に形成されていることで、すなわち壁面ブロックの外側面または内側面の一方が平坦面（水平面）に形成されていることで、コンクリートの鏝仕上げ面（上面）の仕上げ効率が著しく向上し、ブロックの製造コストを著しく低減することができる。
【００２４】
これまで、貯留槽用の壁面ブロックをコンクリートで型枠成形する場合、型枠に接する面よりも型枠の反対側の上側面の仕上げに非常に手間を要しており、特に図４（ａ）に図示するような曲面形をなす壁面ブロックの場合、コンクリートが一次固化するのを待って繰り返し鏝がけをして曲面を形成していたため、仕上げ作業に長時間を要し、このため工場のヤードを長時間占有することとなって、生産能率にも影響を与えていた。
【００２５】
請求項４記載の貯留槽用壁面ブロックは、請求項３記載の貯留槽用壁面ブロックにおいて、壁面ブロックの内側面が貯留槽の外向きに凹む断面アーチ状、断面山型状または断面台形状に形成されてなることを特徴とするものである。
【００２６】
請求項５記載の貯留槽用壁面ブロックは、請求項３または４記載の貯留槽用壁面ブロックにおいて、周方向の両端部にＰＣ鋼線が通る孔または溝が形成されてなることを特徴とするものである。
【００２７】
請求項６記載の貯留槽用壁面ブロックは、請求項３または４記載の貯留槽用壁面ブロックにおいて、周方向の両端部に連結ボルトが通る孔または溝が形成されてなることを特徴とするものである。
【発明の効果】
【００２８】
本願発明は、特に壁面ブロックの端部（目地部）が厚く形成されていることで、目地部において目地シーリング材や目地パッキング材を挿入するために必要な厚さをとられても、グラウト部の厚さを充分に確保できるため、目地部の断面二次モーメントが非常に大きく、このため目地部におけるバックリング現象や断面欠損による強度低下を防止した貯留槽を提供することができる。
【発明を実施するための最良の形態】
【００２９】
以下、本願発明の具体的な実施形態を図面に基づいて説明する。
【実施例１】
【００３０】
図１（ａ）〜（ｅ）は、本願発明の貯留槽およびこの貯留槽の壁面材として用いられる壁面ブロックの一例を示し、図において、複数の壁面ブロック１が貯留槽Ａの周方向に互い連接して建て込まれ、その外周に緊結部材として複数のＰＣ鋼線２が巻き付けられ（アウターケーブル方式）、さらにＰＣ鋼線２を強く緊張することにより壁面ブロック１，１同士の各目地部Ｂに所定量のプレストレスが導入されている。
【００３１】
また特に、周方向に隣接する壁面ブロック１，１同士の各目地部Ｂには、グラウト材３が充填され、その外側に目地パッキング材４が、さらにその外側に目地シーリング材５がそれぞれ挿入されている。
【００３２】
壁面ブロック１はその外側面１ａの断面が直線形状に形成され、内側面１ｂが周方向の両端部１ｃ，１ｃから中央に向かって貯留槽Ａの外向きに徐々に凹むように断面ほぼ山型状に形成されている。すなわち、壁面ブロック１は周方向の両端部１ｃ，１ｃが一番厚く、中央に向かって徐々に薄く、かつ中央が一番薄い矩形板状に形成されている。
【００３３】
また、周方向の両端面１ｄ，１ｄにグラウト材３を充填するための凹部１ｅ，１ｅがそれぞれ形成され、さらに周方向の両端部１ｃ，１ｃの外側にはそれぞれＰＣ鋼線２を挿通する孔としてパイプ６が周方向に沿って埋設されている。なお、パイプ６を埋設する代わりに単に溝が周方向に沿って所定深さに形成されていてもよい。
【００３４】
また、複数の壁面ブロック１を貯留槽Ａの側壁部の曲率に合わせて多角形状に建て込めるように、各壁面ブロック１の周方向の両端面１ｄ，１ｄは、例えば図１（ｅ）に図示するように、各目地部Ｂに角度θ1 をつけられるように斜めに形成され、この場合の両端面１ｄ，１ｄの傾きθ2 （上端面１ａと端面１ｄとのなす角度）は、構築される貯留槽Ａの大きさ（口径）によって異なり、貯留槽Ａが大口径化するにつれて大きくなる。
【００３５】
図２（ａ），（ｂ）は、壁面ブロックおよび壁面ブロック同士の接続部の変形例を示したものであり、図２（ａ）に図示する例の場合、各壁面ブロック１にＰＣ鋼線２を挿通する孔としてパイプ６が壁面ブロック１の周方向に連続して円弧状に埋設されている。
【００３６】
この場合、壁面ブロック１の両端部１ｃ，１ｃが中央部より厚く形成されていることで、パイプ６は壁面ブロック１の両端部においては可能な限り内側よりに、中央部分においては可能な限り外側よりにそれぞれ埋設することができる。
【００３７】
そして、隣接する壁面ブロック１，１同士は、各壁面ブロック１のパイプ６に連続して挿通されたＰＣ鋼線２によって一体的に緊結されている（インナーケーブル方式）。その他の構成は図１で説明した通りである。
【００３８】
また、図２（ｂ）に図示する例の場合、各壁面ブロック１の周方向の両端部１ｃ，１ｃの外側部に周方向に貫通するボルト孔１ｆが形成されている。
【００３９】
そして、周方向に隣接する壁面ブロック１，１同士は、双方のボルト孔１ｆ，１ｆを貫通する連結ボルト７によってそれぞれ結束されている。その他の構成は図１で説明した通りである。
【００４０】
図３（ａ），（ｂ），（ｃ）は、上述した壁面ブロック１を成型するための型枠を示し、壁面ブロック１の内側面を模る底型枠８と周方向の両端面を模る端型枠９とを備えて構成されている。
【００４１】
底型枠８は周方向の両端部８ａ，８ａが一番深く、中央に向かって徐々に浅く、中央部８ｂが一番浅く形成されている。また、例えば図３（ｄ）に図示するように、両端の端型枠９，９は、ともに内側面９ａ，９ａが型枠の底部から上方に向かって徐々に外向きに傾斜する傾斜面に形成され、この内側面９ａ，９ａの傾きθ2 （壁面ブロック１の上端面１ａと端面１ｄとのなす角度）は成型される壁面ブロックによって異なり、大口径の貯留槽の壁面材として用いられる壁面ブロックになるほど、傾きθ2 の大きい端型枠が用いられている。
【００４２】
また、壁面ブロックの成型に際しては、コンクリートを打設する前に予め、ＰＣ鋼線２を通すためのパイプ６または連結ボルト７を通すためのボルト孔１ｆを形成する型枠（図省略）がそれぞれ所定の位置にセットされる。
【産業上の利用可能性】
【００４３】
本願発明は、目地部におけるバックリング現象と断面欠損による強度低下を未然に防止でき、主にサイロや貯水タンク、あるいは油類、穀類などの貯蔵タンク等として広く利用できるものである。
【図面の簡単な説明】
【００４４】
【図１】貯留槽の一例を示し、（ａ）は平面図、（ｂ）は各目地部の断面図、（ｃ）は壁面ブロックの断面図、（ｄ），（ｅ）は壁面ブロックの端部の拡大断面図である。
【図２】（ａ）は貯留槽の一部断面図、（ｂ）は貯留槽の各目地部の断面図である。
【図３】壁面ブロックの成型型枠を示し、（ａ）はその一部破断斜視図、（ｂ），（ｃ）は断面図、（ｄ）は端部の拡大断面図である。
【図４】（ａ），（ｂ），（ｃ），（ｄ）は、貯留槽の壁面材として用いられる従来の壁面ブロックの一例を示す断面図である。
【図５】従来の貯留槽の各目地部の断面図である。
【符号の説明】
【００４５】
１  壁面ブロック（貯留槽用壁面ブロック）
２  ＰＣ鋼線（緊結部材）
３  グラウト材
４  目地パッキング材
５  目地シーリング材
６  パイプ
７  連結ボルト（結束部材）
８  底型枠
９  端型枠
Ａ  貯留槽
Ｂ  目地部
【図１】
2005029231.tif 000003
【図２】
2005029231.tif 000004
【図３】
2005029231.tif 000005
【図４】
2005029231.tif 000006
【図５】
2005029231.tif 000007